【事件の表示】
　平成　４年特許願第　　６１３９号「交換機、交換機における発信端末情報通知の規制方法、及び端末情報通知規制方法」拒絶査定に対する審判事件［平成　５年　７月３０日出願公開、特開平　５−１９１５０６］について、次のとおり審決する。
【結　論】
　本件審判の請求は、成り立たない。
【理　由】
１．手続の経緯、本願発明
　
　本願は、平成４年１月１７日の出願であって、請求項１に係る発明（以下、「本願発明」という。）は、平成１２年２月７日付け、及び平成１５年８月４日付けの手続補正により補正された明細書及び図面の記載からみて、その特許請求の範囲の請求項１に記載された次の事項により特定されるものと認める。
　
　「発信端末装置の端末情報を着信端末装置に通知する機能を具備する交換機において、
　前記発信端末装置における発呼の際に、前記着信端末装置への交換接続処理に用いられる番号の選択に先立って行われる予め定められた操作を識別した場合に、前記通知を規制する発信端末情報通知規制手段を設け、
　前記操作を識別した場合には常に前記通知を規制し、
　前記予め定められた操作が前記発呼の際になされない場合の前記着信端末装置への交換接続処理に用いられる番号の選択により、前記通知の規制を行わないことにする
ことを特徴とする交換機。」
　
２．刊行物記載の発明
　
　これに対して、当審における拒絶の理由で引用した特開平０３−１５８０５４号公報（平成３年７月８日出願公開、以下、「刊行物」という。）には、次のような記載がある。
　
イ）「第２図乃至第４図において、発呼者が着呼者と通話を行う為に、発端末２ｓの機能ボタン２０３ｓ内の図示されぬ発呼ボタンを操作してディジタル交換機１に発呼すると、入出力制御部２０７ｓは信号組立分解部２１１ｓおよび信号送受信部２１２ｓを介してディジタル交換機１に発呼信号を伝達する。
　続いて発呼者が、発端末２ｓおよび着端末２ｄに着番号ＤＡ、被呼者名ＤＮ、発番号ＳＡ、発呼者名ＳＮおよび通話時間Ｔ（各々を表示項目と称する）を、従来通り総て表示させる場合には、前述と同様に着端末２ｄの着番号ＤＡを数字ボタン２０２により選択するが、少なくとも一部の項目の表示を抑止する場合には、機能ボタン２０３内に設けられている表示項目指定ボタンＸを操作した後、表示すべき項目を指定する為に予め定められている一桁の項目指定数字ｄｓを、数字ボタン２０２により入力する。
　一方ディジタル交換機１の主記憶装置（ＭＭ）１４内に設けられている表示項目指定表（ＤＩＴ）１４３には、発端末２ｓから入力される項目指定数字ｄｓに対応して、発端末２ｓおよび着端末２ｄにおいて表示される項目の組合わせが、項目情報ｋにより予め格納されている。
　表示項目指定表（ＤＩＴ）１４３には、表示を抑止される項目に対応して項目情報ｋ＝論理“１”が格納され、表示される項目に対応して項目情報ｋ＝論理“０”が格納されている。
　例えば…着端末２ｄにおいて発番号ＳＡおよび発呼者名ＳＮを表示抑止する場合に、発呼者が項目指定数字ｄｓ＝「６」を入力するものとすると、表示項目指定表（ＤＩＴ）１４３の、項目指定数字ｄｓ＝「６」に対応して…着端末２ｄの発番号ＳＡ…に項目情報ｋ＝論理“１”が格納されている。」（公報４頁左上欄１０行〜右下欄１０行）
　
ロ）「ディジタル交換機１においては、中央制御装置（ＣＣ）１３が加入者回路（ＳＬＣ）１２ａ及びネットワーク（ＮＷ）１１を介して発端末２ｓからの発呼信号を検出すると（第４図ステップＳ１）、表示項目制御部１３２を起動する。
　起動された表示項目制御部１３２は、続いて発端末２ｓから表示項目指定ボタンＸの動作信号が到着するか否かを監視し、表示項目指定ボタンＸの動作信号が伝達されると（ステップＳ２）、続いて伝達される項目指定数字ｄｓを受信・分析し（ステップＳ３）、項目指定数字ｄｓ＝「０」であることを識別すると、表示項目指定表（ＤＩＴ）１４３を参照し、項目指定数字ｄｓ＝「０」に対応して項目情報ｋ＝論理“１”が格納されている表示項目、即ち発端末２ｓにおける着番号ＤＡおよび被呼者名ＤＮと、項目情報ｋ＝論理“０”が格納されている表示項目、即ち発端末２ｓにおける通話時間Ｔ、並びに着端末２ｄにおける発番号ＳＡおよび発呼者名ＳＮを決定する（ステップＳ４）。　
　その結果、発端末２ｓにおける着番号ＤＡが表示を抑止すべきことを認識すると（ステップＳ５）、表示項目制御部１３２は着番号ＤＡの抑止指令Ｊ（ＤＡ）を編集し、ネットワーク（ＮＷ）１１および加入者回路（ＳＬＣ）１２ａを介して発端末２ｓに転送する（ステップＳ６）。
　発端末２ｓにおいては…着番号ＤＡの表示を抑止する。
　以上の着番号ＤＡの抑止処理が完了すると、中央制御装置（ＣＣ）１３は発端末２ｓから伝達される着番号ＤＡの受信準備を整え、発端末２ｓに対して着番号ＤＡの選択を促す等の、公知の起呼処理を実行する（ステップＳ５）。
　なお、ステップＳ２において、表示項目制御部１３２が発端末２ｓから表示項目指定ボタンＸの動作信号の到着を検出出来ぬ場合には、発呼者は発端末２ｓおよび着端末２ｄにおいて総ての表示項目を抑止する意志が無いと判定し、直ちに起呼処理に移行する。
　続いて発呼者が、着番号ＤＡを数字ボタン２０２ｓにより選択すると、入出力制御部２０７ｓは信号組立分解部２１１ｓおよび信号送受信部２１２ｓを介してディジタル交換機１に発呼信号および着番号ＤＡを伝達するが、表示制御部２０７１ｓによる表示器２０１への着番号ＤＡの表示は、表示抑止部２０７２ｓにより抑止されている。
　ディジタル交換機１においては、起呼処理状態にある中央制御装置（ＣＣ）１３が加入者回路（ＳＬＣ）１２ａおよびネットワーク（ＮＷ）１１を介して発端末２ｓから伝達される着番号ＤＡを受信・分析すると、公知の着呼処理を実行し（ステップＳ８およびＳ９）、主記憶装置（ＭＭ）１４内の呼制御領域（ＣＤＢ）１４２を捕捉し、発端末２ｓに付与された発番号ＳＡおよび受信した着番号ＤＡ、表示項目指定ボタンＸの動作信号を受信した場合には、項目指定数字ｄｓ（＝「１」）に対応して決定された表示抑止項目（即ち項目情報ｋ＝論理“１”に対応する発端末２ｓに対する着番号ＤＡおよび被呼者名ＤＮ）、および表示項目（即ち項目情報ｋ＝論理“０”に対応する発端末２ｓの通話時間Ｔ、着端末２ｄの発番号ＳＡおよび発呼者名ＳＮ）を格納した後、着端末２ｄを選択捕捉し、ネットワーク（ＮＷ）１１および加入者回路（ＳＬＣ）１２ｂを介して発端末２ｓに着呼信号を送る。
　また中央制御装置（ＣＣ）１３は、主記憶装置（ＭＭ）１４内の氏名索引表（ＡＮＴ）１４１を参照し、着番号ＤＡに対応する被呼者名ＤＮ、および発番号ＳＡに対応する発呼者名ＳＮを各々検索し、それぞれ呼制御領域（ＣＤＢ）１４２に格納した後、発端末２ｓに対しては被呼者名ＤＮが表示抑止されている、即ち項目情報ｋ＝論理“１”であることを確認し、被呼者名ＤＮを含む表示情報Ｉ（ＤＮ）は作成せず、また着端末２ｄに対しては発番号ＳＡおよび発呼者名ＳＮが表示される、即ち項目情報ｋ＝論理“０”であることを確認し、発番号ＳＡおよび発呼者名ＳＮを含む表示情報Ｉ（ＳＡ、ＳＮ）を表示情報転送部１３１により作成し、ネットワーク（ＮＷ）１１および加入者回路（ＳＬＣ）１２ｂを介して着端末２ｄに伝達する。
　発端末２ｓにおいては、入出力制御部２０７ｓがディジタル交換機１からの表示情報Ｉ（ＤＮ）が伝達されぬ為、被呼者名ＤＮを表示器２０１ｓに表示しない。
　着端末２ｄにおいては、入出力制御部２０７ｄがディジタル交換機１から伝達される着呼信号を…受信すると…被呼者に着信を表示させると共に、ディジタル交換機１から伝達される表示情報Ｉ（ＳＡ、ＳＮ）を…表示器２１０ｄに表示する。」（公報５頁左上欄８行〜６頁右上欄９行）
　
ハ）第２図には、表示項目指定表（ＤＩＴ）１４３に、項目指定数字ｄｓ＝「６」に対応して着端末２ｄの発番号ＳＡおよび発呼者名ＳＮに項目情報ｋ＝論理“１”が格納されていることが記載されている。
　
　これらの記載によれば、刊行物には、次の発明（以下、「刊行物記載の発明」という。）が記載されているものと認められる。
　
　「着端末２ｄにおいて表示される発端末２ｓの発番号ＳＡおよび発呼者名ＳＮを含む表示情報Ｉ（ＳＡ、ＳＮ）を着端末２ｄに伝達するディジタル交換機１において、
　発端末２ｓの機能ボタン２０３ｓ内の図示されぬ発呼ボタンを操作してディジタル交換機１に発呼され、続いて一部の項目の表示を抑止する場合には、機能ボタン２０３内に設けられている表示項目指定ボタンＸの操作後に表示すべき項目を指定する為に予め定められている一桁の項目指定数字ｄｓ＝「６」が、数字ボタン２０２により入力され、前記項目指定数字ｄｓ＝「６」に対応して格納されている表示項目指定表（ＤＩＴ）１４３の項目情報ｋ＝論理“１”であることを確認すると、発番号ＳＡおよび発呼者名ＳＮを含む表示情報Ｉ（ＳＡ、ＳＮ）を作成せず着端末２ｄにおいて発番号ＳＡおよび発呼者名ＳＮの表示を抑止する表示項目制御部１３２を設け、
　前記表示項目指定ボタンＸの動作信号が伝達され（ステップＳ２のＹＥＳ）、項目指定数字ｄｓの受信・分析等の表示抑止のための処理（ステップＳ３〜Ｓ６）が完了すると、発端末２ｓに対して着番号ＤＡの選択を促す等の、公知の起呼処理を実行し、
　前記表示項目指定ボタンＸの動作信号の到着を検出出来ぬ場合には、発呼者は発端末２ｓおよび着端末２ｄにおいて総ての表示項目を抑止する意志が無いと判定し、直ちに起呼処理に移行する
ディジタル交換機１。」
　
３．本願発明と刊行物記載の発明との比較
　
　刊行物記載の発明の「発端末２ｓ」、「着端末２ｄ」、「発番号ＳＡおよび発呼者名ＳＮを含む表示情報Ｉ（ＳＡ、ＳＮ）」、「ディジタル交換機１」、「発端末２ｓの機能ボタン２０３ｓ内の図示されぬ発呼ボタンを操作してディジタル交換機１に発呼され」は、それぞれ、本願発明の「発信端末装置」、「着信端末装置」、「発信端末装置の端末情報」、「交換機」、「前記発信端末装置における発呼の際」に相当し、刊行物記載の発明の「発番号ＳＡおよび発呼者名ＳＮを含む表示情報Ｉ（ＳＡ、ＳＮ）」は、着端末２ｄにおいて表示されるものであるから、刊行物記載の発明の「表示情報Ｉ（ＳＡ、ＳＮ）を着端末２ｄに伝達する」ことは、本願発明の「発信端末装置の端末情報を着信端末装置に通知する機能」に相当する。
　また、本願明細書の
　「発信端末装置２A が、通知規制要求ボタン２２A を操作した後に、着信端末装置２B の電話番号ＤＮB を選択すると、交換機１内の呼制御装置１２は公知の手順で通話路装置１１を制御して端末装置２A および２B 間に呼を設定した後、端末情報通知制御部１２６を起動する。」（段落【００１９】）
という記載からみて、本願発明の「前記着信端末装置への交換接続処理に用いられる番号」とその「選択に先立って行われる予め定められた操作」とは、それぞれ「着信端末装置２B の電話番号ＤＮB 」と「通知規制要求ボタン２２A の操作」である。
　一方、刊行物記載の発明において、「発端末２ｓに対して着番号ＤＡの選択を促す等の、公知の起呼処理」中に着番号の選択が行われることは技術常識から明らかであり、表示項目指定ボタンＸの操作と項目指定数字ｄｓの入力後に、この起呼処理が行われ、しかも刊行物記載の発明では、着端末２ｄにおいて発番号ＳＡおよび発呼者名ＳＮの表示を抑止する場合に、発呼者が項目指定数字ｄｓ＝「６」を数字ボタン２０２により入力している。
　つまり、刊行物記載の発明の表示項目指定ボタンＸの操作と項目指定数字ｄｓ＝「６」を入力する数字ボタン２０２の操作が、本願発明の「予め定められた操作」に相当しているから、刊行物記載の発明の「項目指定数字ｄｓ＝「６」に対応して格納されている表示項目指定表（ＤＩＴ）１４３の項目情報ｋ＝論理“１”であることを確認すると」が、本願発明の「予め定められた操作を識別した場合」に相当し、刊行物記載の発明の「発番号ＳＡおよび発呼者名ＳＮを含む表示情報Ｉ（ＳＡ、ＳＮ）を作成せず着端末２ｄにおいて発番号ＳＡおよび発呼者名ＳＮの表示を抑止する表示項目制御部１３２」が、本願発明「前記通知を規制する発信端末情報通知規制手段」に相当する。
　さらに、刊行物記載の発明において、表示項目指定ボタンＸの操作と項目指定数字ｄｓ＝「６」を入力する数字ボタン２０２の操作が行われると、常に発番号ＳＡおよび発呼者名ＳＮを含む表示情報Ｉ（ＳＡ、ＳＮ）を作成せず着端末２ｄにおいてその表示を抑止し、その操作がないとその表示を抑止しないことは明らかであるから、刊行物記載の発明と本願発明とは「予め定められた操作を識別した場合には常に前記通知を規制し、前記予め定められた操作が前記発呼の際になされない場合、前記通知の規制を行わない」点で一致するから、本願発明と刊行物記載の発明とは、以下の点で一致ないし相違する。
　
（１）一致点
　
　発信端末装置の端末情報を着信端末装置に通知する機能を具備する交換機において、
　前記発信端末装置における発呼の際に、前記着信端末装置への交換接続処理に用いられる番号の選択に先立って行われる予め定められた操作を識別した場合に、前記通知を規制する発信端末情報通知規制手段を設け、
　前記操作を識別した場合には常に前記通知を規制し、
　前記予め定められた操作が前記発呼の際になされない場合、前記通知の規制を行わない交換機である点。
　
（２）相違点
　
　本願発明では、前記予め定められた操作が前記発呼の際になされない場合の前記着信端末装置への交換接続処理に用いられる番号の選択により、前記通知の規制を行わないのに対して、刊行物記載の発明では、前記着信端末装置への交換接続処理に用いられる番号の選択と通知の規制を行わないことの関係が明らかでない点
　
４．相違点の検討
　
　本願発明の「前記予め定められた操作が前記発呼の際になされない場合の前記着信端末装置への交換接続処理に用いられる番号の選択により、前記通知の規制を行わないこと」は、本願明細書の、
　「【００２４】なお発信端末装置２A が、自己の電話番号ＤＮA の着信端末装置２B への表示を容認する場合には、発呼した後、通知規制要求ボタン２２A を操作すること無く着信端末装置２B の電話番号ＤＮB を選択する。
【００２５】かかる場合に、交換機１においては、呼制御装置１２内のボタン識別部１２４が発信端末装置２A において通知規制要求ボタン２２A が操作されたことを識別せず、規制情報設定部１２５も起動しない。従って主記憶装置１３内に設定されている規制情報保存部１３１A には規制情報ＲA が設定されない。」
という記載を考慮すると、要するに「発呼の際に、予め定められた操作をすること無く前記着信端末装置への交換接続処理に用いられる番号を選択する場合に、前記通知の規制を行わないこと」を意味していると解釈できる。
　そして、発呼の際に操作される短縮ダイヤル等の機能ボタンを有する電話機において、機能ボタンを操作すること無く着信端末装置への交換接続処理に用いられる番号を選択する場合には、直ちにその機能を使用しないことを決定し迅速な接続処理をすることは、周知であるから（必要ならば、特開昭６０−１６０７６１号公報の第３図の「ステップ２９　ダイヤルキー入力あり？　ＹＥＳ」、特開平０２−０５１９４２号公報の第２図の「ステップＳ１　テンキーか　ｙｅｓ」参照）、刊行物記載の発明において、予め定められた操作をすること無く前記着信端末装置への交換接続処理に用いられる番号を選択する場合には、上記周知技術のように、直ちにその予め定められた操作に対する機能（通知の規制）を使用しないことを決定し迅速な接続処理をすることは、当業者が適宜なし得る設計事項にすぎない。
　
５．むすび
　
　したがって、本願発明は、刊行物記載の発明及び上記周知技術に基づいて当業者が容易に発明をすることができたものと認められるから特許法第２９条第２項の規定によって特許を受けることができない。